Podtech/llm-jp-corpus-v4-ja_patent huggingface dataset:
(57)【要約】【課題】スタンド等にかけられたギターやベース等の楽器に、楽器本来の美しさ、インテリア性を損なうことなく簡単に取り付け取り外しができ、ホコリ、汚れから楽器を守ることのできる楽器カバーを提供する。【解決手段】楽器カバー１０は、下方に開口部１２を有する円錐状あるいは三角錐状の袋状のカバーである。楽器全体をすっぽり覆い、チリやホコリからしっかり保護する。着脱しやすいように、上部にはタグがついており、この部分を持ってサッと取り外せる。袋状のため取り付けも簡単に出来る。又、カバーを付けている状態でもインテリア性を損なうことのないよう、素材は透明のビニール等の樹脂を使用し、形状もギター、ベース等のモデルに合わせた形状とする。【選択図】図１
0003202975.tif 000002
【実用新案登録請求の範囲】
【請求項１】
透明な樹脂製であり、下方に開口部を有する袋状であり、円錐状、三角錐状あるいは楽器を前記開口部から挿入可能な楽器の輪郭形状のいずれかであることを特徴とする楽器カバー。
【請求項２】
前記楽器カバー上部にタグが形成されていることを特徴とする請求項１に記載の楽器カバー。
【請求項３】
前記楽器カバーの形状はギターの形に合わせた円錐状であることを特徴とする請求項２に記載の楽器カバー。
【考案の詳細な説明】
【技術分野】
【０００１】
本考案は、簡単に取り付け取り外しができ、かつカバーをかけたままで展示可能な楽器カバーに関するものである。
【背景技術】
【０００２】
従来、楽器のカバーは例えば下記特許文献１に開示されているように、運搬や保管時に傷や汚れから楽器を保護するものがあったが、例えばギターの場合、部屋に置かれたギタースタンド等に立てかけられたままのギターやベース等にかけるカバーはなかった。
【０００３】
普段、ギターやベース等を弾く人たちは、楽器を弾き終えた際、部屋の中のギタースタンドに立て掛けたままにしていることがよくある。また、これらの楽器はそれ自体の美しさから、部屋において重要なインテリアのアクセントとしても置かれていることが多い。しかし、この場合、どうしても楽器にチリやホコリ等が付着してしまうという問題点があった。特に、ギターやベース等の楽器にはチリやホコリは大きなダメージとなってしまうので、これを嫌い、楽器をその都度、専用のケースにしまうことになるが、これは結構煩わしい作業であった。
【先行技術文献】
【特許文献】
【０００４】
【特許文献１】登録実用新案公報第３１５９３１０号
【考案の概要】
【考案が解決しようとする課題】
【０００５】
この考案の目的は、部屋の壁やギタースタンドに立て掛けたままの状態のギターやベース等の楽器に、簡単に取り付け、取り外しができ、チリやホコリから楽器を守り、着けている状態でもインテリア性を損なうことのないギター、ベース等の楽器用カバーを提供することにある。
【課題を解決するための手段】
【０００６】
本考案の楽器カバーは、透明な樹脂製であり、下方に開口部を有する袋状であり、円錐状、三角錐状あるいは楽器を前記開口部から挿入可能な楽器の輪郭形状のいずれかであることを最も主要な特徴とする。また、前記した楽器カバーにおいて、前記楽器カバー上部にタグが形成されている点にも特徴がある。また、前記した楽器カバーにおいて、前記楽器カバーの形状はギターの形に合わせた円錐状である点にも特徴がある。
【考案の効果】
【０００７】
本考案の楽器カバーは袋状のため、取り付けが簡単に出来、上部にはタグがついているので、この部分を持ってサッと取り外せ、煩わしさを感じさせない。本考案の楽器カバーは簡単に取り付けて、チリや、ホコリから守ることができるため、楽器愛用者にとって使い勝手がよく、且つ、透明素材を使用しているので、楽器カバーを付けている状態でも楽器の美しさ、インテリア性を損なうことがない。更に、その形状も各ギター、ベース等のモデルに合わせた形状とすることにより、部屋のインテリアとして楽器を傷めることなく安心して飾っておくことが出来るという利点がある。
【図面の簡単な説明】
【０００８】
【図１】図１は本考案の楽器カバーの構成を示す平面図である。
【図２】図２は本考案の楽器カバーをギターに装着した状態を示す説明図である。
【考案を実施するための形態】
【０００９】
本考案の形態例を図面に基づいて説明する。なお、実施例としてはギター用の円錐形状の楽器カバーについて開示するが、本考案は任意の楽器に適用可能である。
【実施例１】
【００１０】
図１は本考案の楽器カバー１０の構成を示す平面図である。また、図２は本考案の楽器カバー１０をギター１５に装着した状態を示す説明図である。ギタースタンド１６に立て掛けてあるギター１５に楽器カバー１０が装着されている。図２の場合は、ギター１５およびスタンド１６の双方を覆うように装着しているが、ギター１５のみを覆うように装着してもよい。楽器カバー１０は、ギター等の楽器本来のインテリア性を損なうことのないよう、透明な樹脂、例えばセロハン、ポリエチレン、塩化ビニールなどの素材による薄いシートが使用される。
【００１１】
楽器カバー１０は円錐状、三角錐状あるいは楽器を下部の開口部から挿入可能な楽器の輪郭形状のいずれかである。円錐の下方に開口部１２を有する袋状であり、楽器カバー１０の上部にはタグ１１が形成され、この部分を持って上部にサッと取り外すことができる。
【００１２】
製造方法は、例えば素材を扇形に切断し、頂点から延びる直線状の２辺を熱溶着あるいは接着剤、両面テープなどにより接着する。最後に、頂点部分を切断して折り返し、溶着あるいは接着することにより、タグ１１を形成する。なお、完成後に下部を斜めに切断してもよい。
【００１３】
以上、実施例について説明したが、本考案には以下のような変形例も考えられる。実施例においては楽器カバー全てを透明な素材で作成する例を開示したが、楽器カバーを表と裏の２枚のシートで形成し、表のみ透明な素材を使用し、裏は透明ではない素材を使用してもよい。また、中が見える程度の透明度を有する着色素材を使用してもよい。
【産業上の利用可能性】
【００１４】
本考案は任意の楽器の楽器カバーに適用可能である。
【符号の説明】
【００１５】
１０    楽器カバー
１１    タグ
１２    開口部
１５    楽器
１６    楽器スタンド
【図１】
0003202975.tif 000003
【図２】
0003202975.tif 000004
(57)【要約】      （修正有）【課題】プラスチック製の風呂椅子の肌触りや座り心地を改善することができる風呂椅子用クッションを提供する。【解決手段】座板２に排水孔４を有する風呂椅子１に載置するためのクッション１０において、弾性に飛んだ素材により構成したクッションの下面に風呂椅子の排水孔４に嵌入可能な突起１１を垂設するとともに上記の突起に貫通孔１２を設け、垂設した突起の外寸を変形により座板の排水孔に嵌入可能な程度に排水孔の内寸より大きく設定する。【選択図】図２
0003202128.tif 000002
【実用新案登録請求の範囲】
【請求項１】
座板に排水孔を有する風呂椅子に載置するためのクッションにおいて、弾性に飛んだ素材により構成したクッションの下面に風呂椅子の排水孔に嵌入可能な突起を垂設するとともに上記の突起に貫通孔を設け、垂設した突起の外寸を変形により座板の排水孔に嵌入可能な程度に排水孔の内寸より大きく設定したことを特徴とする風呂椅子用クッション。
【考案の詳細な説明】
【技術分野】
【０００１】
本願考案は、浴室で使用するための風呂椅子に関する。
【背景技術】
【０００２】
人が浴室内で体や髪の毛を洗う際に腰掛けるための椅子が広く使用されている。この種の椅子はかっては木製であったが、現在はプラスチック製のものが主流となっている。
【０００３】
しかしながら、肌触りが柔らかく、また保温性に富んでいる木製の椅子に比べ、プラスチック製の椅子はそれが耐久性を考慮し硬質のプラスチックで成型されていることも相まって硬くて肌触りが悪く、また冬場には冷えてひやっとした感触を与える問題があった。
【０００４】
前記の問題を解決するために、風呂椅子に、その座板に載置するためのクッションを組み合わせることが公知であった（特許文献１〜３）。
【先行技術文献】
【特許文献】
【０００５】
【特許文献１】実開平５−４８７８５号公報
【特許文献２】実開平４−８６４９１号公報
【特許文献３】特開２００２−１４３０２０号公報
【考案の開示】
【考案が解決しようとする課題】
【０００６】
前記の公知考案によれば、風呂椅子と人体に接するクッションを別部材として構成することにより、クッションを風呂椅子とは係わりがない素材により構成することができ、例えば弾力性と柔軟性に富んだ発泡プラスチックなどにより構成すれば、柔らかく肌触りの良好な風呂椅子を実現することが可能となる。
【０００７】
しかしながら、クッションは単に風呂椅子の座板に載置してあるだけなので、それを前記の発泡プラスチックなどにより構成した場合、軽量であることも相まってシャワーの水があたるなどのちょっとした拍子に風呂椅子から離脱してしまう問題があった。
【０００８】
また、椅子に腰掛けた際に椅子から滑り落ち、運動神経が鈍っている高齢者の場合は予想もしないような事故を引き起こす危険があった。
【課題を解決するための手段】
【０００９】
本願考案は以上の従来技術の問題点を解消した風呂椅子を提供することを目的として創作されたものであり、座板に排水孔を有する風呂椅子に載置するためのクッションにおいて、弾性に飛んだ素材により構成したクッションの下面に風呂椅子の排水孔に嵌入可能な突起を垂設するとともに上記の突起に貫通孔を設け、垂設した突起の外寸を変形により座板の排水孔に嵌入可能な程度に排水孔の内寸より大きく設定したことを特徴とする。
【考案の効果】
【００１０】
本願考案の風呂椅子によれば、風呂椅子と人体に接するクッションを別部材として構成することにより、クッションを風呂椅子とは係わりがない素材により構成することができ、例えば弾力性と柔軟性に富んだ発泡プラスチックなどにより構成すれば、柔らかく肌触りの良好な風呂椅子を実現することが可能となるばかりでなく、風呂椅子の排水孔を利用してそこにクッションの突起を嵌入するので、風呂椅子に対してクッションが不用意に離脱することが防止される。
【００１１】
さらに、クッションを弾性に飛んだ素材により構成するとともに、垂設した突起の外寸を変形により座板の排水孔に嵌入可能な程度に排水孔の内寸より大きく設定するので、風呂椅子に対してクッションの突起を強圧嵌入することにより風呂椅子に対してクッションが一体化し、風呂椅子を逆さにしてもクッションが離脱することがない。また、この場合、クッションの突起には貫通孔が設けられているので嵌入時に突起を変形しやすくするとともに、この貫通孔が突起により塞がれた座板の排水孔に代わる排水孔として作用するという複合的な作用も実現される。
【図面の簡単な説明】
【００１２】
【図１】本願考案の風呂椅子用クッションの使用法を示す斜視図。
【図２】同上、クッションの下面を示した組み立て前の斜視図。
【図３】同上、組み立て状態の斜視図。
【図４】図３のＡ−Ａ線断面図。
【図５】図３のＢ−Ｂ線断面図。
【考案を実施するための最良の形態】
【００１３】
以下、本願考案の風呂椅子用クッションの具体的実施例を添付図面に基づいて説明する。図中符号１は風呂椅子の本体である。この本体は座板２の下面から複数本の脚部３を垂設した公知の構造のものであり、ここでは機械的な強度が高く表面硬度も高いポリプロピレンにより成型している。図中符号４は風呂椅子の本体１の座板２に設けられた公知の排水孔である。座板２は人の臀部に馴染むように中央に向かって軽く窪ませてあるが、上記排水孔４はその場合に座面に湯が溜まらないように排水するためのものである。
【００１４】
図中符号１０は前記風呂椅子の本体１の座板２に取り付けられる本願考案のクッションである。このクッション１０はここでは柔軟性と弾力性に富んだ発泡プラスチックであるＥＶＡ樹脂（エヴァ樹脂) により成型されるものであり、座板２の座面の形状に馴染むような形状に構成される。図中符号１１は前記のクッション１０の下面に垂設される突起であり、貫通孔１２が設けられれる。この突起１１は風呂椅子１の排水孔４に嵌入可能なものであり、ここでは外寸を変形により排水孔に嵌入可能な程度に排水孔の内寸より大きく設定している。
【００１５】
以上の構成よりなる本願考案の風呂椅子用クッション１０は必要に応じて風呂椅子１の座板２に取り付けて使用に供したり、清掃時には両者を分離したりすることができる。
【符号の説明】
【００１６】
１        風呂椅子の本体
２        座板
４        排水孔
１０        クッション
１１        突起
１２        貫通孔
【図１】
0003202128.tif 000003
【図２】
0003202128.tif 000004
【図３】
0003202128.tif 000005
【図４】
0003202128.tif 000006
【図５】
0003202128.tif 000007
(57)【要約】      （修正有）【課題】ほぼ一人分の量で２品目以上の麺類を提供することが可能となる麺類用丼鉢を提供する。【解決手段】丼鉢１は、内側の中心近辺を通る曲線のしきり３を有し、丼鉢は第１のスペース４及び第２のスペース５に仕切られている。仕切り３の高さは、食べ易さと丼鉢傾斜時の脱汁防止とを考慮し、口縁２より１センチほど低くなっている。本丼鉢１は２種類のスープ付ラーメンの同時提供を想定したもので、例えば第１のスペース４に醤油系ラーメンを、第２のスペース５に塩系ラーメンを収容する。【選択図】図１
0003202130.tif 000002
【実用新案登録請求の範囲】
【請求項１】
少なくとも２品目の麺類を同時に収容可能な麺類用丼鉢であって、
前記丼鉢の内側に少なくとも１の仕切りを有し、前記少なくとも１の仕切りにより前記丼鉢の内側が少なくとも２のスペースに分かれていることを特徴とする麺類用丼鉢。
【請求項２】
スープ付ラーメンとつけ麺を１の丼鉢に収容して提供可能にした麺類用丼鉢であって、前記丼鉢の内側に複数の仕切りを有し、前記複数の仕切りにより前記丼鉢の内側に、
前記スープ付ラーメンを収容するための第１のスペースと、
前記つけ麺の麺を収容するための第２スペースと、
前記つけ麺のつけ汁を収容するための第３のスペースと、
を有することを特徴とする請求項１記載の麺類用丼鉢。  
【考案の詳細な説明】
【技術分野】
【０００１】
本考案は、内側に複数の収容スペースを有する麺類用丼鉢に関する。
【背景技術】
【０００２】
通常、ラーメン店等において１回の食事で２品目の麺類を食味したい場合、希望の２品目を注文して同行者と分食したり、小鉢のメニューがある場合にはそれを２品目注文する。
【０００３】
一方、食皿については、２種類以上の調味料や主菜・副菜を１枚に載せることができる仕切り付の平皿はあるが、一定の深さを有する麺類用の丼鉢で仕切り付のものはない。また、１つの丼鉢に２品目の麺類を入れ、全体として1品目の分量にして提供する飲食店もない。
【考案の概要】
【考案が解決しようとする課題】
【０００４】
地方特産の麺類を提供する店や評判のラーメン店が多くなった近年、１店で２品目の麺類を食味したいという客が増えてきている。また、近年は日本のラーメンに関心がある外国人観光客が増え、その多くは滞在中に多種類のラーメンを試食したいという希望を持っている。しかしながら、一度の食事に２品目を注文しても量的に多過ぎる。かといって毎食ラーメンというわけにもいかない。彼らにとって、滞在中の限られた食事回数で何回もラーメンを食することは、他の日本食を食する機会を失うことになる。
【０００５】
一方で、飲食店側も、２品目の麺類を合計の量が多くならない程度に食したい外国人観光客等の客が増えていることを知ってはいるが、２品目を収容する丼鉢が存在しないため、１品目の量を減らした丼を複数提供するなどの対応にとどまり、２品目の麺類をまとめて1つの丼で提供するメニューを有する店はない。
【０００６】
上述の問題に鑑み、本考案は、ほぼ一人分の量で２品目以上の麺類を提供することが可能となる麺類用丼鉢を提供することを課題とする。
【課題を解決するための手段】
【０００７】
上述の課題を解決するために、請求項１に記載の麺類用丼鉢は、少なくとも２品目の麺類を同時に収容可能な麺類用丼鉢であって、前記丼鉢の内側に少なくとも１の仕切りを有し、前記少なくとも１の仕切りにより、前記丼鉢の内側が少なくとも２のスペースに分かれていることを特徴とする。
【０００８】
請求項２に記載の麺類用丼鉢は、請求項１記載の丼鉢の用途を限定した丼鉢であって、通常のスープ付ラーメンとつけ麺を１の丼鉢に収容して提供可能にした麺類用丼鉢についての考案である。該丼鉢は、複数の仕切りにより、丼鉢の内側に、前記スープ付ラーメンを収容するための第１のスペースと、前記つけ麺の麺を収容するための第２スペースと、前記つけ麺のつけ汁を収容するための第３のスペースとを有することを特徴とする
【考案の効果】
【０００９】
本考案に係る丼鉢の使用により、店側は、１つの丼鉢に収容した２品目以上の麺類を、全体量を増やさずに提供することが可能となる。同時に、提供する品目数に比例して必要であった調理台及びテーブルのスペースを１品目分に減らすことができるようになる。
【００１０】
本考案に係る丼鉢の使用により、客側は、２品目以上の麺類を一食分として食味することが可能となる。とくに外国人旅行客は、短い間に日本の麺品目を多数食することができ、そのぶん、他の日本食も食することができ、しいては、体験できる日本食文化の幅を広げることが可能となる。
【図面の簡単な説明】
【００１１】
【図１】実施形態１の麺類用丼鉢の斜視図である。
【図２】実施形態２の麺類用丼鉢の斜視図である。
【図３】実施形態２の麺類用丼鉢の使用例を示す写真である。
【考案を実施するための形態】
【００１２】
以下、本考案に係る麺類用丼鉢の２の実施形態について図を用いて説明する。
【００１３】
（実施形態１）
図１は実施形態１の麺類用丼鉢を示す。本実施形態の丼鉢１は、内側の中心近辺を通る曲線のしきり３を有し、丼鉢は第１のスペース４及び第２のスペース５に仕切られている。仕切り３の高さは、食べ易さと丼鉢傾斜時の脱汁防止とを考慮し、口縁２より１センチほど低くなっている。
【００１４】
本丼鉢１は２種類のスープ付ラーメンの同時提供を想定したもので、例えば第１のスペース４に醤油系ラーメンを、第２のスペース５に塩系ラーメンを収容する等の使用例が考えられる。
【００１５】
（実施形態２）
図２は実施形態２の麺類用丼鉢の実施例を示す。本実施形態の丼鉢は請求項２に記載の丼鉢であり、スープ付ラーメンとつけ麺とを同時に提供可能にするための丼鉢である。
【００１６】
本丼鉢は、曲線の仕切り３に連続して口縁２と相似形の円形の仕切りを有しており、２つの麺収容スペースに加え、お椀型のつけ汁を収容するスペースを有することを特徴とする。すなわち、第１のスペース４にスープ付ラーメンを、第２のスペース５につけ麺を、そして第３のスペース６につけ麺のつけ汁を収容することが可能となっている。
【００１７】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、請求項１記載の丼鉢は多数の仕切りにより３以上のスペースを設け、３品目以上の麺類を収容できるようにしてもよいし、請求項２の丼鉢は、つけ汁用の第３のスペースを円形ではなく多角形としてもよい。それらについての上記第１又は第２の実施形態と異なる形態による実施は、本考案の技術的範囲に含まれるものと解する。
【符号の説明】
【００１８】
１      丼鉢
２      口縁
３      しきり
４      第１のスペース
５      第２のスペース
６      第３のスペース
【図１】
0003202130.tif 000003
【図２】
0003202130.tif 000004
【図３】
0003202130.tif 000005
(57)【要約】      （修正有）【課題】網戸の掃除を一人で簡単かつ完璧に行うことができる網戸掃除用吸気ヘッド＆補助具を提供する。【解決手段】掃除機の吸気ヘッドに吸気口を囲むように上下各々３カ所に直径約１〜２ｃｍの鉄のボール５を埋め込み、受け板になる補助具２には吸気ヘッドの鉄のボール５の位置に合わせ６個の磁石ボール３を埋め込み、塵埃９を擦り取りながら吸引できるように補助具２にはブラシ４を植え込んだ。【選択図】図４
0003202109.tif 000002
【実用新案登録請求の範囲】
【請求項１】
掃除機の吸気ヘッドに吸気口を囲むように上下夫々３カ所に直径約１〜２ｃｍの鉄ボールを埋め込み、受け板になる補助具には、吸気ヘッドの鉄ボールの位置に合わせて６個の磁石ボールを埋め込み、補助具の磁石ボールの列間にブラシを植え込み、吸気ヘッドと補助具で網戸を両面から挟み込んで塵埃を擦り取りながら吸引していくことを特徴とする網戸掃除用吸気ヘッド＆補助具。
【考案の詳細な説明】
【技術分野】
【０００１】  本考案は網戸の掃除を簡単かつ完璧に行うための掃除機の網戸掃除用吸気ヘッドと補助具を提供する。
【背景技術】
【０００２】  特許文献１が出願されるまでは網戸掃除専用の道具はなく、網戸の埃や汚れを掃除機で吸い込めるように網戸の裏側に新聞紙などを当て手間をかけて掃除が行われていた。
特許文献１では網戸の掃除を簡単に行うため、新聞紙の代わりに受け板と掃除機の吸気パイプに装着可能な中空軸が同時に考案された。
特許文献２では吸い込み具の中に回転ブラシが挿入され網戸の塵埃を擦り取れるように工夫されている。
【先行技術文献】
【特許文献】
【０００３】
【特許文献１】  特開２００８−４３７００号公報
【特許文献２】  特開２０１０−６３６２４号公報
【考案の概要】
【考案が解決しようとする課題】
【０００４】  網戸の塵埃を掃除機で吸い込むためには網戸を挟んで掃除機の吸気ヘッドとは反対側に受け板となるものをあてがう必要がある。
特許文献１では、一人で受け板と掃除機のホース部分を持ちながら、網戸の上を自在に動かし掃除するのは不可能で、受け板を持ってくれる人が必要であり単独ではできない。
特許文献２では、受け板を使用していないので網戸の塵埃は十分に吸引されてこない。
本考案は以上の問題点を解決するためになされたものである。
【課題を解決するための手段】
【０００５】  掃除機の網戸掃除用吸気ヘッドに、吸気口を囲むように上下夫々３カ所に直径１〜２ｃｍの鉄ボールを埋め込み、受け板になる補助具には、網戸掃除用吸気ヘッドの鉄のボールの位置に合わせ６個の磁石ボールを埋め込んだ。また、網戸の塵埃を擦りながら吸引させるため、補助具の磁石ボール列の間にブラシを植え込んだ。
網戸の掃除のときは、吸気ヘッドと補助具で網戸を挟んで夫々のボールどうしを吸着させた後、片手で掃除機のパイプ部分を持ち吸気ヘッドを移動させると、一緒に補助具も動くようにした。
以上の構成よりなる網戸掃除用吸気ヘッド＆補助具。
【考案の効果】
【０００６】  本考案により単独でも網戸を自由自在に隅々まで掃除できるようになった。また、補助具にブラシを植え込むことで網戸の表面を擦りながら吸引することが可能となり、掃除の作業効率を一段と上げることができた。
【図面の簡単な説明】
【０００７】
【図１】本考案を用いて網戸掃除をしている状態において、網戸掃除用吸気ヘッド側と補助具側を相互反対方向から見た図を別々に表した斜視図である。
【図２】本考案の一部である補助具の斜視図である。
【図３】本考案の一部である吸気ヘッドの吸引口側から見た斜視図である。
【図４】本考案の使用中において吸気ヘッドと補助具の間に網戸を挟んで作動させている状態を示す断面図である。
【図５】図４を上から見た状態を示す平面図である。
【考案を実施するための形態】
【０００８】以下、考案の実施をするための形態について説明する。
網戸掃除用吸気ヘッド（１）に６個の鉄ボール（５）を埋め込む。
補助具（２）に６個の磁石ボール（３）を埋め込み、中心部にブラシ（４）を設ける。
本考案は以上のような構造である。
本考案を使用して、掃除を実施する場合は右手に補助具を持ち、左手で掃除機の吸気ヘッドのパイプ部分を持ちながら網戸の脇に立ち、補助具と吸気ヘッドで網戸を挟み、補助具の６個の磁石ボールと吸気ヘッドの６個の鉄ボールを合わせながら吸着させる。
吸気ヘッドのパイプ部分を右手に持ち替えて吸気ヘッドを動かすと補助具も一緒に移動するので、片手だけで網戸を自由自在に隅々まで掃除できる。
【符号の説明】
【０００９】１網戸掃除用吸気ヘッド、２補助具、３磁石ボール、４ブラシ、５鉄ボール、
６吸気パイプ、７網戸、８電気掃除機、９塵埃
【図１】
0003202109.tif 000003
【図２】
0003202109.tif 000004
【図３】
0003202109.tif 000005
【図４】
0003202109.tif 000006
【図５】
0003202109.tif 000007
(57)【要約】      （修正有）【課題】水中において最良の水力を得ることが出来る発電機を提供する。【解決手段】楕円形のレール３の上に折りたたみができる羽根付きロオラア６を取り付けたロオラア６からの力は歯車７に連絡棒８で伝え、歯車７と発電機１をベルト２で伝道する。【選択図】図１
0003202110.tif 000002
【実用新案登録請求の範囲】
【請求項１】
楕円形のレール上に折りたたみが出来る羽根付きロオラアを取り付けた発電機。
【考案の詳細な説明】
【考案の概要】
【考案が解決しようとする課題】
【０００１】  水中において水車発電機である。【０００２】  水中で羽根を折りたたむ。
【考案の効果】
【０００３】  河川で増水、減水したときでも発電することが出来る。
【考案を実施するための形態】
【０００４】  以下、本案の実施例について説明する、図１にもとずいて楕円形のレールの上に羽根付きロオラアを取り付ける、羽根付きロオラアからの力は歯車に連絡棒を用いて伝える、水流により上部の羽根は折りたたみ、下部の羽根は羽根止め具により折りたたまない、又、歯車と発電機をベルトで伝道する。
【図面の簡単な説明】
【０００５】
【図１】  発電機の側面図
【図２】  発電機の正面図
【符号の説明】
【０００６】  １  発電機    ２  ベルト    ３  楕円形のレール    ４  羽根
５  羽根止め具    ６  羽根付ロオラア    ７  歯車    ８  連絡棒
【図１】
0003202110.tif 000003
【図２】
0003202110.tif 000004
(57)【要約】      （修正有）【課題】雪庇落とし作業に非常に便利であり、前後左右に滑ることなく、容易に落下させることができる雪庇落とし具を提供する。【解決手段】雪庇を落とすための取っ手５と、取っ手５を取り付けるＬ字型の基台４ｂと、垂直に固定する雪庇落とし部１と、基台４ｂの水平面に固定する雪庇落下防止部２とからなる。【選択図】図２
0003202105.tif 000002
【実用新案登録請求の範囲】
【請求項１】
棒状の取っ手と、取っ手の上端に取り付けるＬ字型の基台と、基台の垂直面に固定する雪庇落とし部と、基台の水平面に固定する雪庇落下防止部とからなる雪庇落とし具。
【考案の詳細な説明】
【技術分野】
【０００１】
本考案は、軒下の雪庇を落とす雪庇落とし具に関する。
【背景技術】
【０００２】
昔は雪庇を落とす道具もなく、屋根に上ってスコップで落としていた。
【考案の開示】
【考案が解決しようとする課題】
【０００３】
冬の季節になると、気になるのは雪または軒下の雪庇を落とすのに、以前は屋根に上ってスコップを使って落としていたが、滑ったり軒の破損や危険でなかなか思うようにできない状態であった。
【課題を解決するための手段】
【０００４】
本考案の雪庇落とし具は、棒状の取っ手と、取っ手の上端に取り付けるＬ字型の基台と、基台の垂直面に固定する雪庇落とし部と、基台の水平面に固定する雪庇落下防止部とからなるようにしたものである。
【考案の効果】
【０００５】
Ｌ字のステンレスからなる基台に先端を細くした雪庇を落とし部を取り付けることで、雪庇落としに非常に便利であり、楽に落下させることができる。
【図面の簡単な説明】
【０００６】
【図１】本考案は、雪庇落とし具の正面図である。
【図２】図1の右側面図である。
【図３】本考案の雪庇落とし具の使用状態を表す図である。
【考案を実施するための形態】
【０００７】
以下、本考案の最適な実施の形態を図1及び図2及び図3に基づいて詳細に説明する。
本考案は、棒状の取っ手5と、取っ手5の上端に取り付けるＬ字型の基台4と、基台4の垂直面に固定する雪庇落とし部1と基台4の水平面に固定する雪庇落下防止部2とからなる雪庇落とし具6である。
【０００８】
基台4について説明する。
基台4は、取っ手5に取り付けるものである。
水平面4ａと、垂直面4ｂを有するＬ字型に形成されたものである。また、基台4はステンレスで作られている。
【０００９】
基台4の垂直面4ｂには、1が取り付けてある。基台4の水平面4ａには、2を取り付けてある。垂直面4ｂの裏側に取っ手5の上端に取り付けられている。
【００１０】
雪庇落とし部1は、先端を鋭角に形成している。1を使って軒下からでる雪庇9の氷部7をつついて、ミシン目をつける。これによって雪庇9を落とすことができる。
【００１１】
図1において2は、雪庇落とし部1でつついて真下に落下する雪庇9を受けるものである。これにより氷部7が作業者に落下するのを防止できる。
【符号の説明】
【００１２】
1        雪庇落とし部
2        雪庇落下防止部
4ａ、ｂ  基台
5        取っ手
6        雪庇落とし具
7        氷部
8        雪
9        雪庇
【図１】
0003202105.tif 000003
【図２】
0003202105.tif 000004
【図３】
0003202105.tif 000005
(57)【要約】      （修正有）【課題】外観の成形の自由度が高く、廃棄物を利用した丈夫で安価な多層構造容器を提供する。【解決手段】複数の層からなる容器であって、内側からプラスチック層１、中間層２、紙層３から成り、プラスチック層にプラスチック容器の廃棄物を用い、紙層には紙パックの廃棄物を用いる。中間層としては、粘土、紙粘土、モルタル、コンクリート等素材は限定されない。花瓶など、頻度は少ないが持ち運びができて、かつ倒れない重さが必要な容器の場合、成形性がよく比重も適当な石膏が望ましい。【選択図】図１
0003202101.tif 000002
【実用新案登録請求の範囲】
【請求項１】
複数の層からなる容器であって、
内側からプラスチック層（１）、中間層（２）、紙層（３）から成り、
プラスチック層がプラスチック容器の廃棄物を用いており、
紙層が防水加工を施した紙の廃棄物を用いた多層構造容器。
【請求項２】
前記中間層（２）の素材が石膏から成る請求項１に記載の多層構造容器。
【請求項３】
前記紙層（３）外側に塗装を施した請求項１または２の多層構造容器。
【請求項４】
前記紙層（３）の外側に布を巻き、その外側から塗装を施した請求項１または２の多層構造容器。
【請求項５】
前記塗装が漆である請求項３または４の多層構造容器。
【考案の詳細な説明】
【技術分野】
【０００１】本発明は、廃棄物を利用した多層構造をもつ容器に関するものである。
【背景技術】
【０００２】  従来、花瓶等に用いられる、内側に液体を保持できる容器は、陶器、磁器、ガラス、プラスチック、金属等の耐水性のある素材が用いられている。また近年、環境意識が高まってきており、缶などの金属類や食品包装容器などのプラスチック類、新聞雑誌などの紙類が回収、再資源化されている。
【考案の概要】
【考案が解決しようとする課題】
【０００３】  従来、花瓶等に用いられる、内側に液体を保持できる容器の素材として用いられる陶器、磁器の成形は比較的難しく、複雑な外観を成形するには高度な技術を要する。また焼き入れ時の破損を防ぐため、厚みを均一に保つ必要があり、容器外側と内側の形状が同一になる。これにより、内側の液体を保持する機能を優先すると、外観の成形の自由度が狭められていた。
素材として、ガラス、プラスチック、金属を用いた塲合は、切削加工等の加工技術を用いれば、比較的自由に加工が可能であるが、高額な加工費がかかっていた。溶かして型に流し込む方法もあるが、冷却時の破損を防ぐためには厚みを均一に保つ必要があり、陶器、磁器と同じ課題があった。
容器の重量は、持ち運びできる程度の軽さと、倒れない程度の重さが必要である。しかし重量は素材と形状で決まってしまうため、このことも外観の成形の自由度を狭めていた。【０００４】  また廃棄物の再利用は、廃棄物をそのまま利用する方法と融解処理などを施したのち素材として再利用する方法がある。後者は融解処理などにエネルギーが必要なため、環境負荷がかかる。そのため再利用のために必要なエネルギーがより小さい前者が求められている。【０００５】  本考案は上記点に着目してなされたものであり、外観の成形の自由度が高く、丈夫な容器を、廃棄物を利用し安価に提供するものである。
【課題を解決するための手段】
【０００６】  複数の層からなる容器であって、内側からプラスチック層（１）、中間層（２）、紙層（３）から成り、プラスチック層がプラスチック容器の廃棄物を用いており、紙層が紙パックの廃棄物を用いた多層構造容器。
【考案の効果】
【０００７】  液体と接する内側のプラスチック層をプラスチック容器の廃棄物とすることで、安価かつ容易に材料を入手できる。またプラスチック容器は耐水性が高く丈夫であり、中間層の素材を耐水性や強度を考慮せずに、成形性や重量のみを考慮して選択可能である。
紙層を牛乳パックなどの防水加工を施した紙の廃棄物とすることで、安価かつ容易に材料を入手できる。またプラスチック容器ほど耐水性や強度はないが、成形性がよく、中間層で成形した外観をくずさずに容器の強度を上げることができる。また比較的塗料がなじみやすい素材であり、塗装により容器の美観を整えやすい。【０００８】  また廃棄物をそのままの状態で利用するため、プラスチック容器を融解して再利用する方法や紙パックを溶かして再生紙にする方法よりもより再利用に必要なエネルギーが小さい。
【図面の簡単な説明】
【０００９】
【図１】本発明の断面図
【図２】本発明の斜視図
【考案を実施するための形態】
【００１０】  以下、本発明の実施形態を説明する。
内側のプラスチック層（１）に用いるプラスチック容器は液体を保持する目的で使用されているものであればならなんでもよい。本来の目的で使用された後、洗浄して本発明に使用する。リサイクル率が高く、入手のしやすいペットボトルが最適である。開口部をカットする等、用途に合わせて加工することが望ましい。
中間層（２）として、粘土、紙粘土、モルタル、コンクリート等素材は限定されない。花瓶など、頻度は少ないが持ち運びができて、かつ倒れない重さが必要な容器の場合、成形性がよく比重も適当な石膏が望ましい。
紙層（３）として、食品容器など液体や水分を含んだ固体を保持する容器として使用されいる紙製の容器であれば何でもよい。本来の目的で使用された後、洗浄して本発明に使用する。強度と成形性があり、かつリサイクル率が高い牛乳パックが最適である。
さらに美観を整えたい場合はその上に塗装を施すことが望ましい。紙パックの上から直接塗装することもできるが、紙パックの上に布（図示せず）を巻いてから塗装することにより、強度が上がる効果がある。また塗料として漆を用いることにより、更なる強度アップと美感が向上する効果がある。
【符号の説明】
【００１１】１  プラスチック層
２  中間層
３  紙層
【図１】
0003202101.tif 000003
【図２】
0003202101.tif 000004
(57)【要約】      （修正有）【課題】一年中、快適に跨げるサドルにするための冬夏両用リバーシブルサドルカバーを提供する。【解決手段】夏期、サドルの高温化を防止するため、サドルカバーの表面に再帰反射シート１を使用、裏面には冬期、外気による冷却を和らげるために吸湿発熱繊維３を使用した。再帰反射シート１と吸湿発熱繊維３を接着剤２で接合させた生地をサドルの形状にあわせ裁断し、夫々を縫い合わせて作製する。【選択図】図１
0003202108.tif 000002
【実用新案登録請求の範囲】
【請求項１】
夏期、サドルの高温化を防止するため、サドルカバーの表面に再帰反射シートを使用し、裏面には冬期、サドルの温度低下を防止するための吸湿発熱繊維を使用、再帰反射シートと吸湿発熱繊維を接着剤で接合し生地を作り、その生地をサドルの形状にあわせて裁断し、夫々を縫い合わせて作製する冬夏両用リバーシブルサドルカバー。
【請求項２】
接着剤で接合せず、直接、再帰反射シートと吸湿発熱繊維を重ね合わせて作製する請求項１記載の冬夏両用リバーシブルサドルカバー。
【請求項３】
オートバイのサドルの形状に合わせ生地を裁断、夫々を縫い合わせて作製するオートバイ専用の請求項１記載の冬夏両用リバーシブルサドルカバー。
【考案の詳細な説明】
【技術分野】
【０００１】  冬期においては冷たさをやわらげ、夏においては熱さを感じず、一年中、快適に跨げる状態のサドルにするための冬夏両用リバーシブルサドルカバーに関するものである。
【背景技術】
【０００２】  冬期、外に放置された自転車のサドルが冷却されるのを防止するため、サドルカバー内にカイロを挿入できるスペースを作り、カイロの熱でサドルを温める工夫がなされた。（特許文献１参照）また、サドルカバーの表面に遠赤外線放射物質を付着させ、自転車をこいでいるときに体が暖かくなるように工夫された発明もあった。（特許文献２参照）
夏期、炎天下に置かれた自転車のサドルの高温化を防ぐため、サドルカバーの表面に断熱材であるアルミシートを使用しているものも知られている。（特許文献３参照）
【先行技術文献】
【特許文献】
【０００３】
【特許文献１】  特開２００７−１９６９７５号公報
【特許文献２】  実開平５−４９５８１号公報
【特許文献３】  登録実用新案第３０７５７５４号公報
【考案の概要】
【考案が解決しようとする課題】
【０００４】  冬期、外に放置された自転車のサドルは合成樹脂（ポリエステル・ポリプロピレン）でカバーされているため、冷たいと感じるまでには至らず、特許文献１及び特許文献２のような大掛かりな工夫は必要ない。
夏期の炎天下に放置された自転車のサドルは太陽の熱を吸収し、その表面の温度は６０℃近くまで上昇するので、しばらく日陰で冷やした後でないと跨ることができない。
特許文献３は、自転車のサドルの高温化を防ぐため、断熱材であるアルミシートを貼り付けたサドルカバーを考案した。しかし、アルミシートは反射光が眩しく目に刺激的であり、色は殆ど銀色に限られているのでカラフルなサドルカバーを提供できない欠点があった。
本考案は、以上のような問題点を解決するためになされたものである。
【課題を解決するための手段】
【０００５】  夏期の暑い時期、太陽光による照射熱を反射しサドルの高温化を防止するため、サドルカバーの表面には再帰反射シートを使用し、裏面には冬期の寒い時期、外気による温度の低下を防止するために吸湿発熱繊維を使用した。
再帰反射シートと吸湿発熱繊維を接着剤で張り合わせた生地をサドルの座面部分用と側面部分用に裁断し、夫々を縫合する。底部の開口部にはゴム紐を通さず、代わりに後方部分にファスナーを設けサドルへの着脱を容易にした。
また、再帰反射シートと吸湿発熱繊維を直接重ね合わせ縫合する方法も可能である。
本考案は以上のような構成よりなる冬夏両用リバーシブルサドルカバーである。
【考案の効果】
【０００６】  夏期の暑い時期は、再帰反射シート面を表にして使用することで、太陽光による照射熱を反射しサドルの高温化を防止することができる。
逆に、冬期の寒い時期は吸湿発熱繊維面を表にして使用することで、外気による冷却を和らげることができ、一枚のサドルカバーでオールシーズン快適に跨げる状態のサドルを実現することができた。
再帰反射シート及び吸湿発熱繊維には色が豊富にあり、カラフルなサドルカバーを提供できるようになった。
【図面の簡単な説明】
【０００７】
【図１】再帰反射シートと吸湿発熱繊維を接着剤で張り合わせた生地の断面図である。
【図２】再帰反射シートと吸湿発熱繊維を重ね合わせた状態の断面図である。
【図３】サドル座面部分用と側面部分用に裁断された生地の図である。
【図４】本考案の斜視図である。
【考案を実施するための形態】
【０００８】  以下、本考案の実施をするための形態について説明する。
再帰反射シート（１）と吸湿発熱繊維（３）を接着剤（２）で張り合わせた生地をサドル座面部分の形状（４）及びサドル側面部分の形状（５）に裁断し、夫々を縫合する。後方部分にはファスナー（６、８）を設けサドルへの着脱を容易にした。
本考案は以上のような、構造である。
本考案使用するときは、冬夏両用リバーシブルサドルカバー（７）を広げ、まず、サドルの頭部分から覆いかぶせ、後部まで引っ張りながらサドル全体を覆いファスナーを締めて装着する。
夏期は再帰反射シート（１）側を表にして使用し、冬期は吸湿発熱繊維（３）側を表にして使用する。
【符号の説明】
【０００９】  １再帰反射シート、２接着剤、３吸湿発熱繊維、４サドル座面部分用の生地（Ａ）、
５サドル側面部分用の生地（Ｂ）、６ファスナーのテープとエレメント、
７冬夏両用リバーシブルサドルカバー、８ファスナーのスライダー
【図１】
0003202108.tif 000003
【図２】
0003202108.tif 000004
【図３】
0003202108.tif 000005
【図４】
0003202108.tif 000006
(57)【要約】      （修正有）【課題】腹筋運動をする際に、背中の下に入れることで腹筋をやり易くする補助マットを提供する。【解決手段】座っても痛くない厚みのあるフィットネスマットのうえに角度のついた幅広三角状のマットを装着し、角度のある位置から腹筋運動が始められるようにする。【選択図】図１
0003202113.tif 000002
【実用新案登録請求の範囲】
【請求項１】
幅広三角状の固めのクッションマットを形成し、複数を用意して、重ね合わせの仕方で腹筋運動時の角度の調整ができる。以上を特徴とする、腹筋運動をする際の補助マット。
【考案の詳細な説明】
【技術分野】
【０００１】本考案は、腹筋運動をする際に幾つかの角度のある固めマットを背中の下にあて、床から角度をつけることで腹筋運動をやりやすくする補助マットである
【背景技術】
【０００２】腹筋運動をやる際に床から身体を起こすのが難しい時、
（腹筋が弱くなっている方、腰などを痛めている方、高齢で腹筋が弱くなっている方）
床から少し角度があれば、腹筋や腰、首への負担が軽減され、腹筋を使いやすくなるのではないかと思った。
いくつかの角度のマットを重ね。レベルに応じた角度をつける。
取り外し可能にし、始めは角度のある位置から始め、徐々に慣れてきたらマットを減らしていく方法で、腹筋の強化をはかれるのではと思い考案した。
【考案が解決しようとする課題】
【０００３】角度のついたマットを背中にあてることで腹筋運動をやりやすくする。
幾つかを重ね、取り外し可能にすることで、腹筋の強化を図っていく。
【課題を解決するための手段】
【０００４】幅広三角状のクッションマットを形成し、複数を用意して、重ね合わせの仕方で腹筋運動時の角度の調整ができる。以上を特徴とする、腹筋運動をする際の補助マットである。
補助マットの角度は、決まりはないが、
例えば、鋭角が２５度の角度をしたマットと鋭角が２０度のマットを重ねられるようにして、２０度の角度に腹筋ができるようになったら、一つ外して、２０度の角度でというふうに取り外しが可能なマットである。
力が入っても動かないように、補助マット同士の装着、下のマットと補助マットとの装着は強力になるようにする。
補助マットは全体重を乗せても、つぶれない固めで弾力性のあるものを使用する。
それは、腹筋運動の際、もたれかかった時、潰れないようにする他、
背中を伸ばすストレッチマットとしても機能できるようにするためや、お尻の下に引いて、ストレッチをする時にも使用できるようにするためである。
【考案の効果】
【０００５】腹筋をやる際に、床からの角度がつくため、腹筋がやりやすくなり、腹筋や腰、首への負担が軽減されるとともに、腹筋をやるまでのストレスも軽減される。
複数のマットで角度が調整できるため、腹筋の強化を目標を持ちながら実践できる。
【図面の簡単な説明】
【０００６】
【図１】角度のある補助マットを２つ重ねたものを、背中の下に入れて腹筋運動をしている様子を示すイメージ
【図２】角度のある補助マット１つを背中の下に入れて腹筋運動をしている様子を示すイメージ
【図３】背中の下に補助マットを入れ、全身を伸ばすストレッチをしている様子を示すイメージ
【図４】お尻の下に補助マットを入れ、ストレッチをしている様子を示すイメージ
【産業上の利用の可能性】
【０００７】フィットネス道具として販売する。
【図１】
0003202113.tif 000003
【図２】
0003202113.tif 000004
【図３】
0003202113.tif 000005
【図４】
0003202113.tif 000006
(57)【要約】      （修正有）【課題】釣竿のグリップに複数の竿が差し替えできることで、テトラポットの隙間のポイントに仕掛けを投入することができる釣竿のグリップを提供する。【解決手段】釣竿のグリップ１に竿２を差し替えできるようにグリップ１の中央に円形の穴をあけた。【選択図】図１
0003202117.tif 000002
【実用新案登録請求の範囲】
【請求項１】
釣竿のグリップに複数の竿が差し替えできるようにグリップの中央に円形の穴をあけたことを特徴とする釣り竿のグリップ。
【考案の詳細な説明】
【技術分野】
【０００１】  本考案は、釣具の竿に関するものである。
【背景技術】
【０００２】  テトラポット等の隙間で専用で釣る竿は殆ど無かった。
【考案の開示】
【考案が解決しようとする課題】
【０００３】  テトラポットの隙間に確実に仕掛けを投入でき、前途の欠点を解決しようとするものである。
【課題を解決するための手段】
【０００４】  本考案は、釣竿のグリップに複数の長さの異なった竿を接続できることで、問題点を解決している。
【考案の効果】
【０００５】  上述の様に、竿をグリップに差し替えることで、ポイントに仕掛けを投入することができ、確実に釣り上げることに役立つ。
【考案を実施するための最良の形態】
【０００６】  釣竿のグリップの中央に穴をあけ、竿の差し替え可能とし、複数の竿を差し掛える。
【実施例】
【０００７】  以下、添付図面に従って実施例を説明する。１は、釣竿のグリップで中央部に穴をあけ、２の竿を差し替える。３は、リールを取付ける金具。竿を複数差し替えることを可能とした。【０００８】  本考案の実施例は上述の如き構成からなるものであり、アコウ、カサゴ、アブラメ釣りに用いると釣果が上がる。
【図面の簡単な説明】
【０００９】
【図１】正面図
【図２】実施例図
【符号の説明】
【００１０】    １  釣竿のグリップ
２  釣竿
３  リール取付金具
【図１】
0003202117.tif 000003
【図２】
0003202117.tif 000004
(57)【要約】      （修正有）【課題】間仕切りのある棒状小物類スタンドであり、平たい状態に折りたたむことができ、携帯や収納を容易にする。【解決手段】パーツとなる紙片１から１０にあるスリット１１同士を噛み合わせるようにして組み立てられ、底面部１２の差し込み部分１３を差し込むことで、棒状小物類を差す間仕切りが固定された状態となり、更に差し込み部分１３を外すことで、平たい状態に折りたたむことができ、携帯や収納を容易とする。【選択図】図８
0003202120.tif 000002
【実用新案登録請求の範囲】
【請求項１】
パーツに設けたスリット同士を噛み合わせるように組み立て間仕切りを作るとともに、折りたたむと平たい状態となることを特徴とする折りたたみ式棒状小物類スタンド。
【請求項２】
請求項１において、前記パーツは紙片であることを特徴とする折りたたみ式棒状小物類スタンド。
【請求項３】
請求項１において、前記パーツのスリット部分に一部突起を施すことで、パーツ同士を外れにくくすることを特徴とする折りたたみ式棒状小物類スタンド。
【考案の詳細な説明】
【技術分野】
【０００１】  本考案は、ペンや鉛筆等の棒状小物類を１本ずつ差す間仕切りがあり、且つ、折りたたむことで携帯や収納をし易くする棒状小物類スタンドに関するものである。
【背景技術】
【０００２】  １本分ずつ間仕切りのあるペン立て等の棒状小物類スタンドは、構造を維持するために硬質で厚みのある素材で作られており、形状を変化させることは難しく、簡単に折りたたむことが難しかった。
【考案の概要】
【考案が解決しようとする課題】
【０００３】  ペン等を１本分ずつ差す間仕切りのある棒状小物類スタンドは硬質且つ厚みのある素材で形状が固定されているため、折りたたんで携帯や収納することは難しかった。従って、素材を薄くし、糊等を使わずパーツ同士を噛み合わせて組み立てることで、簡単に折りたたむことが可能になり、前述の欠点を解決しようとするものである。
【課題を解決するための手段】
【０００４】  本考案は、スリットを櫛状に形成した紙片１０枚のスリット同士を噛み合わせるようにして格子状に組み合わせることで、ペンや鉛筆等の棒状小物類を１本ずつ差す間仕切りが形成される。底面の差し込み部分を格子状のスリット同士の隙間に差しこむことで間仕切りが固定されているが、底面の差し込み部分を外せば本体を折りたたむことができるため、問題点を解説している。
【考案の効果】
【０００５】  上述の様に、本考案の折りたたみ式棒状小物類スタンドは、ペンや鉛筆等を１本ずつ間仕切りの間に差すことができ、且つ、折りたたむことができるため携帯や収納を容易とする。
【図面の簡単な説明】
【０００６】
【図１】本考案の折りたたみ式棒状小物類スタンドの実施例を示す斜視図である。
【図２】本スタンドの組み立て前のパーツ図面である。
【図３】本スタンドの組み立て後の正面図である。
【図４】本スタンドの組み立て後の側面図である。
【図５】本スタンドの組み立て後の平面図である。
【図６】本スタンドの組み立て後の底面部差し込み前の底面図である。
【図７】本スタンドのパーツに一部施されている突起部分の拡大平面図である。
【図８】本スタンドのパーツ組み立て時の斜視図である。
【図９】本スタンドの底面部差し込み時の斜視図である。
【図１０】本スタンドの折りたたみ時の平面図である。
【図１１】本スタンドの底面部を背面に折りたたんだ状態の平面図である。
【考案を実施するための形態】
【０００７】  本考案は、パーツ１から１０の１０枚のスリット１１同士を噛み合わせるようにして格子状に組み立てられており、底面部１２の差し込み部分１３のスリット同士が噛み合った隙間に差し込むことで、全体の形状を固定させる。格子状の間仕切りで形成された空洞部分にペンや鉛筆等の棒状小物類を指して使用する。携帯や収納をしたい場合は、底面部１２の差し込み部分１３を外して、本体を平たい状態に折りたたんで使用する。
【実施例】
【０００８】  以下、添付図面に従って一実施例を説明する。図２は、本考案の組み立て前のパーツ図面である。パーツは１から１０までの１０枚あり、各パーツには櫛状のスリット１１が形成されている。また、パーツ５には、底面部１２と差し込み部分１３が付帯する。【０００９】  図８は本考案のパーツ組み立て時の斜視図である。１から１０までの各パーツを、１１のスリット同士を噛み合わせるように格子状に組み立てていく状態を示す。図９は、底面部１２に付帯する差し込み部分１３を、格子状の１１のスリット同士の隙間に差し込む状態を示す斜視図であり、格子状の間仕切り部分が固定される。【００１０】  図１は、組み立て後の実施例を示す斜視図であり、格子状に間仕切りのある棒状小物類を立てるスタンドである。また、図７はパーツ６を例とした、パーツの一部に施されている突起１４の拡大平面図であり、同様にパーツ７、８、９、１０の一部にも突起１４が施されている。これらの突起１４は、組み立て後にパーツ同士が外れることを防ぐストッパーの役目を果たしている。図６は組み立て後の底面部差し込み前の底面図であり、突起１４が施されている７箇所を黒丸で示すものである。【００１１】  本考案は、第一に、図１の実施例を示す斜視図が示す通り、ペンや鉛筆等の棒状小物類を１本ずつ差す間仕切りがあるスタンドとして使用するものである。第二に、図１０の折りたたみ時の平面図が示す通り、底面部１２の差し込み部分１３を外すことで、スタンド本体を平たい状態に折りたたむことが可能である。第三に、図１１の底面部を背面に折りたたんだ状態の平面図が示す通り、コンパクトに携帯や収納することが可能である。
【符号の説明】
【００１２】１    パーツ１
２    パーツ２
３    パーツ３
４    パーツ５
６    パーツ６
７    パーツ７
８    パーツ８
９    パーツ９
１０  パーツ１０
１１  スリット
１２  底面部
１３  差し込み部分
１４  突起
【図１】
0003202120.tif 000003
【図２】
0003202120.tif 000004
【図３】
0003202120.tif 000005
【図４】
0003202120.tif 000006
【図５】
0003202120.tif 000007
【図６】
0003202120.tif 000008
【図７】
0003202120.tif 000009
【図８】
0003202120.tif 000010
【図９】
0003202120.tif 000011
【図１０】
0003202120.tif 000012
【図１１】
0003202120.tif 000013